(57)【特許請求の範囲】
【請求項１】
上面部及び前記上面部と逆向きの下面部を有するマットレス本体と、
前記マットレス本体を支持してその平面性を保つ剛性を付与するよう前記マットレス本体の下面部に着脱可能に一体に設置される剛性付与手段と、
を備えており、
前記剛性付与手段は、互いに一体に連結可能な複数のフレームを有することを特徴とするマットレス。
【請求項２】
前記フレームはそれぞれの端部が互いに着脱可能に係り合って一体に連結することができるように、前記フレームにおける一方のフレームの端部が径小に形成され、他方のフレームの対応する端部に挿入係合されることを特徴とする請求項１に記載のマットレス。
【請求項３】
前記一方のフレーム及び前記他方のフレームの間に弾性連結部材が設けられ、前記弾性連結部材の一端部がアーチ状に前記一方のフレーム内に挿着され、他端部が前記一方のフレームの外部へ突き出て前記他方のフレームに連結されることを特徴とする請求項２に記載のマットレス。
【請求項４】
前記一方のフレーム及び前記他方のフレームには、それぞれが互いに対応して重なり合ったとき前記弾性連結部材の他端部が通って外部へ突き出るように形成されている係止孔が設けられていることを特徴とする請求項３に記載のマットレス。
【請求項５】
前記フレームは、前記マットレス本体の下面部における互いに対向する二つの第１の辺部に配置される２つの第１のフレームと、二つの前記第１の辺部と異なり互いに対向する二つの第２の辺部に配置される２つの第２のフレームと、を有し、
各前記第２のフレームの一端部が対応する一方の前記第１のフレームの両端部のそれぞれに、各前記第２のフレームの他端部が対応する他方の前記第１のフレームの両端部のそれぞれに連結されることを特徴とする請求項１〜４のいずれか一項に記載のマットレス。
【請求項６】
前記第１のフレームは、その前記両端部がそれぞれ対応する前記第２のフレーム側に折れ曲がってつば状に突き出るようにＵの字形状に形成されていることを特徴とする請求項５に記載のマットレス。
【請求項７】
前記剛性付与手段は更に、２つの前記第２のフレームの間に配置される第３のフレームを有することを特徴とする請求項５又は６に記載のマットレス。
【請求項８】
前記剛性付与手段は更に、前記第１のフレームの両端部の間に設置される継ぎ部材を有し、
前記第３のフレームの両端部がそれぞれ、各前記継ぎ部材を介して対応する前記第１のフレームに連結されることにより、前記第１のフレーム及び前記第２のフレームにより日の字形に連結されることを特徴とする請求項７に記載のマットレス。
【請求項９】
前記継ぎ部材は中空状であり、前記第１のフレームが貫通して取り付けられるベース部と、前記ベース部の前記第１のフレームの貫通側と反対側から長手状に突き出て形成されているステム部と、を有し、
前記第３のフレームの両端部はそれぞれ、対応する前記ステム部の突き出た自由端部に連結されていることを特徴とする請求項８に記載のマットレス。
【請求項１０】
弾性連結部材は更に、前記第３のフレームの両端部のそれぞれと対応する前記継ぎ部材のステム部とが互いに重なり連結されたとき、前記弾性連結部材は、その前記一端部が前記第３のフレームの前記両端部の各端部内に挿着され、前記他端部が前記第３のフレーム及び前記継ぎ部材の外部に突き出るように、前記第３のフレーム及び前記継ぎ部材の間に設けられていることを特徴とする請求項９に記載のマットレス。
【請求項１１】
前記第３のフレーム及び前記ステム部には、それぞれが互いに対応して重なり合ったとき前記弾性連結部材の前記他端部が通って外部へ突き出るように形成されている係止孔が設けられていることを特徴とする請求項１０に記載のマットレス。
【請求項１２】
前記継ぎ部材には更に、前記弾性連結部材の前記第３のフレームの前記係止孔より突き出た前記他端部が前記ステム部の係止孔側に移動案内されて前記ステム部の前記係止孔の外部に突き出るように、前記ステム部の一部が拡径して前記ステム部における前記第３のフレームが装着される開口側から前記ステム部の前記係止孔側に延伸される案内溝が形成されていることを特徴とする請求項１１に記載のマットレス。
【請求項１３】
前記案内溝は、前記ステム部の前記開口側から前記ステム部の前記係止孔側に細るように傾斜状に形成されていることを特徴とする請求項１２に記載のマットレス。
【請求項１４】
前記フレームには、前記フレームより外部に突き出た前記弾性連結部材の前記他端部に対応して前記弾性連結部材の前記他端部を前記フレームの内側に押さえて前記係止孔から離脱させる押し部材が設けられていることを特徴とする請求項４、１１〜１３のいずれか一項に記載のマットレス。
【請求項１５】
更に、前記フレームが着脱可能に前記マットレス本体に設置されるための固定ユニットを有することを特徴とする請求項１〜１４のいずれか一項に記載のマットレス。
【請求項１６】
前記固定ユニットは、前記マットレス本体の下面部に設置されている複数のシート状部材を有し、前記シート状部材の上面部と前記マットレス本体の下面部とにより前記フレームが挿通して定位される挿し孔が形成されていることを特徴とする請求項１５に記載のマットレス。
【請求項１７】
前記シート状部材は、前記フレームに平行に長く延伸されて形成されていることを特徴とする請求項１６に記載のマットレス。
【請求項１８】
前記シート状部材は、短冊形に形成されていることを特徴とする請求項１６に記載のマットレス。
【請求項１９】
前記フレームは、前記マットレスが前記マットレス本体の下方に折畳操作手段が設けられた折畳式のベビーベッドの囲い枠内に装着されて用いられたとき、前記マットレス本体の平面性を保つように前記折畳操作手段から離れるよう湾曲状に形成されていることを特徴とする請求項１〜１８のいずれか一項に記載のマットレス。
【請求項２０】
所定の高さに位置するように設けられた請求項１に記載のマットレスと、前記マットレスの周囲四方を囲んで設けられた囲い枠と、を備えてなることを特徴とするベビーベッド。
【請求項２１】
所定の高さに位置するように設けられた請求項１〜１８のいずれか一項に記載のマットレスと、前記マットレスの周囲四方を囲んで設けられた囲い枠と、を備えてなることを特徴とするベビーベッド。
【請求項２２】
前記マットレス本体の下方には、前記囲い枠をコンパクトに折り畳めるように操作可能な折畳操作手段が設けられ、
前記フレームは、前記マットレスが前記囲い枠内に装着されて用いられたとき、前記マットレス本体の平面性を保つように前記折畳操作手段から離れるよう湾曲状に形成されていることを特徴とする請求項２１に記載のベビーベッド。
【発明の詳細な説明】
【技術分野】
【０００１】
本発明は、マットレス及びベビーベッドに関し、剛性が付与されたマットレス及びベビーベッドに関する。
【背景技術】
【０００２】
通常、赤ちゃんは生まれてからちょっと大きくなるまでマットレスの周囲四方を囲んだ形態のベビーベッドに寝かされる。図１、図２を参照して、ベビーベッドの一例の構成を説明する。ベビーベッドの形態となっているベッドは、マットレス４と、このマットレス４の周囲四方を取り囲んで該マットレス４を所定の高さに位置させるように設けられた囲い枠１と、を備えている。また、マットレス４の上方に位置する空間では、内部が透視可能なネット２１を有し赤ちゃんを揺動可能に支える吊り床２が囲い枠１に装着されている。また更に囲い枠１における下枠１１には折畳操作手段１１１が設けられ、折畳操作手段１１１によって、ベビーベットをコンパクトに折り畳むことで収納場所を大きく取らずにすむことができる。
【先行技術文献】
【特許文献】
【０００３】
【特許文献１】中国登録実用新案第ＣＮ２０１２４３８４０Ｙ号明細書
【発明の概要】
【発明が解決しようとする課題】
【０００４】
ベビーベッドに使われるマットレスは、その平面性を保つための剛性を付与すべく肉厚に構成されたりその背面側に支持枠を設けたりするが、これによりベビーベッドの収納便利性が損なわれるという問題点がある。
【０００５】
本発明は、上記問題点に鑑みてなされたものであり、取り付けが簡単で、剛性と収納便利性を兼ね備えたマットレス及び該マットレスを用いるベビーベッドを提供することを目的とする。
【課題を解決するための手段】
【０００６】
上記目的を達成すべく、一の観点によれば、本発明は、上面部及び前記上面部と逆向きの下面部とを有するマットレス本体と、前記マットレス本体を支持してその平面性を保つ剛性を付与するよう前記マットレス本体の下面部に着脱可能に一体に設置される剛性付与手段と、を備えていることを特徴とするマットレスを提供しようとするものである。
【０００７】
本発明に係るマットレスにおいて、前記剛性付与手段は、一例として、互いに一体に連結可能な複数のフレームを有する。
【０００８】
前記フレームは、それぞれの端部が互いに着脱可能に係り合って一体に連結することができるように、前記フレームにおける一方のフレームの端部が径小に形成され、他方のフレームの対応する端部に挿入係合されることが好ましい。
【０００９】
また、前記一方のフレーム及び前記他方のフレームの間に弾性連結部材が設けられ、前記弾性連結部材の一端部がアーチ状に前記一方のフレーム内に挿着され、他端部が前記一方のフレームの外部へ出るように突き出て前記他方のフレームに連結されることが好ましい。
【００１０】
また、前記一方のフレーム及び前記他方のフレームには、それぞれが互いに対応して重なり合ったとき前記弾性連結部材の他端部が通って外部へ突き出るように形成されている係止孔が設けられていることが好ましい。
【００１１】
また、前記フレームは、前記マットレス本体の下面部における互いに対向する二つの第１の辺部に配置される２つの第１のフレームと、二つの前記第１の辺部と異なり互いに対向する二つの第２の辺部に配置される２つの第２のフレームと、を有し、各前記第２のフレームの一端部が対応する一方の前記第１のフレームの両端部のそれぞれに、各前記第２のフレームの他端部が対応する他方の前記第１のフレームの両端部のそれぞれに連結されることが好ましい。
【００１２】
また、前記第１のフレームは、その前記両端部がそれぞれ対応する前記第２のフレーム側に折れ曲がってつば状に突き出るようにＵの字形状に形成されていることが好ましい。
【００１３】
また、前記剛性付与手段は更に、２つの前記第２のフレームの間に配置される第３のフレームを有することが好ましい。
【００１４】
また、前記剛性付与手段は更に、前記第１のフレームの両端部の間に設置される継ぎ部材を有し、前記第３のフレームの両端部がそれぞれ、各前記継ぎ部材を介して対応する前記第１のフレームに連結されることにより、前記第１のフレーム及び前記第２のフレームにより日の字形に連結されてもよい。
【００１５】
また、前記継ぎ部材は中空状であり、前記第１のフレームが貫通して取り付けられるベース部と、前記ベース部の前記第１のフレームの貫通側と反対側から長手状に突き出て形成されているステム部とを有し、前記第３のフレームの両端部はそれぞれ、対応する前記ステム部の突き出た自由端部に連結されていることが好ましい。
【００１６】
前記弾性連結部材は更に、前記第３のフレームの両端部のそれぞれと対応する前記継ぎ部材のステム部とが互いに重なり連結されたとき、前記弾性連結部材の前記一端部が前記第３のフレームの各前記端部内に挿着され、前記他端部が前記第３のフレーム及び前記継ぎ部材の外部に突き出るように、前記第３のフレーム及び前記継ぎ部材の間に設けられていることが好ましい。
【００１７】
また、前記第３のフレーム及び前記ステム部には、それぞれが互いに対応して重なり合ったとき前記弾性連結部材の前記他端部が通って外部へ出るよう突き出るように形成されている係止孔が設けられていることが好ましい。
【００１８】
また、前記継ぎ部材には更に、前記弾性連結部材の前記第３のフレームの前記係止孔より突き出た前記他端部が前記ステム部の係止孔側に移動案内されて前記ステム部の前記係止孔の外部に出るよう突き出るように前記ステム部の一部が拡径して前記ステム部における前記第３のフレームが装着される開口側から前記ステム部の前記係止孔側に延伸される案内溝（３１４ｄ）が形成されていることが好ましい。
【００１９】
前記案内溝は、前記ステム部の前記開口側から前記ステム部の前記係止孔側に細るように傾斜状に形成されてもよい。
【００２０】
また、前記フレームには、前記フレームより外部に突き出た前記弾性連結部材の前記他端部に対応して前記弾性連結部材の前記他端部を前記フレームの内側に押さえて前記係止孔から脱離する押し部材が設けられることが好ましい。
【００２１】
更に、前記フレームが着脱可能に前記マットレス本体に設置されるための固定ユニットを有することが好ましい。
【００２２】
前記固定ユニットは、一例として、前記マットレス本体の下面部に設置されている複数のシート状部材を有し、前記シート状部材の上面部と前記マットレス本体の下面部とにより前記フレームが挿通して定位される挿し孔が形成される。
【００２３】
前記シート状部材は、前記フレームに平行に長く延伸されて形成されてもよく、短冊形に形成されてもよい。
【００２４】
前記フレームは、前記マットレスが前記マットレス本体の下方に折畳操作手段が設けられた折畳式のベビーベッドの囲い枠内に装着されて用いられたとき、前記マットレス本体の平面性を保つように前記折畳操作手段から離れるよう湾曲状に形成されてもよい。
【００２５】
また、本発明の他の観点によれば、所定の高さに位置するように設けられた上記のマットレスと、前記マットレスの周囲四方を囲んで設けられた囲い枠と、を備えてなることを特徴とするベビーベッドを提供しようとするものである。
【発明の効果】
【００２６】
本発明に係るマットレス及びマットレスを用いたベビーベッドによれば、剛性付与手段がマットレス本体の下面部に着脱可能に一体に設置されているので、マットレス本体を支持してその平面性を保つ剛性を付与することができ、赤ちゃんが使用する安全性を高めることができる。また、使用しないときには、剛性付与手段をマットレス本体から分離して収納することができる。また、剛性付与手段は、例えば互いに一体に連結可能な複数のフレームを有するので、マットレス本体を支持してその平面性を保つ剛性を付与することができると共に、使用しないときには、フレーム間の連結を容易く解除して素早く分離し、収納することができる。
【図面の簡単な説明】
【００２７】
【図１】ベビーベッドの一例を示す斜視図である。
【図２】図１において吊り床が取り外された状態を示す斜視図である。
【図３】本発明に係るマットレスの一実施例を示す斜視図である。
【図４】本発明に係るマットレスを示す分解斜視図である。
【図５】図３におけるＡ部分を示す拡大斜視図である。
【図６】図５におけるフレーム間の連結を示す分解斜視図である。
【図７】本発明に係るマットレスの他の実施例を示す斜視図である。
【図８】図７におけるフレームの連結を示す斜視図である。
【図９】図８におけるフレームの連結を示す分解斜視図である。
【図１０】図８におけるＢ部分を示す拡大斜視図である。
【図１１】図８におけるＣ部分を示す拡大斜視図である。
【図１２】図７のマットレスの使用の一実施例を示す底面図である。
【図１３】本発明に係るマットレスの他の実施例を示す斜視図である。
【図１４】図１３におけるフレームを示す斜視図である。
【図１５】図１４におけるＤ部分を示す拡大斜視図である。
【図１６】図１４におけるＥ部分を示す拡大斜視図である。
【図１７】図１６におけるフレームの連結を示す分解斜視図である
【発明を実施するための形態】
【００２８】
以下、本発明の好ましい実施形態について図面を参照しながら詳しく説明する。なお、以下の説明においては、そのサイズに拘らず、略同一の機能及び構成を有する構成要素については、同一符号を付し、重複説明は必要な場合にのみ行う。
【００２９】
（実施例１）
図３は本発明に係るマットレスの一例を示す斜視図、図４は、該マットレスの分解斜視図である。図中、符号３は図１、図２におけるマットレス４と同様に囲い枠１内に所定の高さに位置するように設けられるマットレスであり、剛性付与手段３１と、マットレス本体３２と、を備えてなる。
【００３０】
マットレス本体３２は、上面部３２ａと、上面部３２ａと逆向きの下面部３２ｂと、を有する。
【００３１】
剛性付与手段３１は、マットレス本体３２を支持してその平面性を保つ剛性を付与するようマットレス本体３２の下面部３２ｂに着脱可能に一体に設置されるものである。
【００３２】
剛性付与手段３１は、この例において、複数の第１のフレーム３１１、第２のフレーム３１２、第３のフレーム３１３によって互いに一体に連結可能に構成されている。
【００３３】
図４に示されているように、例えば第２のフレーム３１２の両端部３１２ｂ、３１２ｃが径小に形成され、第１のフレーム３１１の対応する端部３１１ｂ、３１１ｃに挿入係合されていることにより、互いに着脱可能に係り合って一体に連結することができる。
【００３４】
第１のフレーム３１１、３１１は、マットレス本体３２の下面部３２ｂにおける互いに対向する二つの第１の辺部に、第２のフレーム３１２、３１２は二つの第１の辺部と異なり互いに対向する二つの第２の辺部に配置されている。各第２のフレーム３１２、３１２の一端部３１２ｂ、３１２ｂが対応する一方の第１のフレーム３１１の両端部３１１ｂ、３１１ｃのそれぞれに、各第２のフレーム３１２の端部３１２ｃ、３１２ｃが対応する他方の第１のフレーム３１１の両端部３１１ｂ、３１１ｃのそれぞれに連結されている。
【００３５】
各第１のフレーム３１１は、この例において、その両端部３１１ｂ、３１１ｃがそれぞれ対応する第２のフレーム３１２側に折れ曲がってつば状に突き出るようにＵの字形状に形成されている。
【００３６】
第３のフレーム３１３は、第２のフレーム３１２、３１２の間に、この例では、第２のフレーム３１２と平行に配置され、第３のフレーム３１３の両端部３１３ｂ、３１３ｃがそれぞれ対応する第１のフレーム３１１の両端部３１１ｂ、３１１ｃの間に連結されている。
【００３７】
各第１のフレーム３１１の両端部３１１ｂ、３１１ｃの間に継ぎ部材３１４が更に設置され、第３のフレーム３１３の両端部３１３ｂ、３１３ｃがそれぞれ、対応する継ぎ部材３１４を介して対応する第１のフレーム３１１の両端部３１１ｂ、３１１ｃの間に連結されている。このように、剛性付与手段３１は、第１のフレーム３１１、第２のフレーム３１２及び第３のフレーム３１３により連結されて日の字形に構成されている。
【００３８】
継ぎ部材３１４は、この例では、図６に示されているように、中空状であり、第１のフレーム３１１が貫通して取り付けられるベース部３１４ａと、ベース部３１４ａの第１のフレーム３１１の貫通側と反対側から長手状に突き出て形成されているステム部３１４ｂと、を有する。ベース部３１４ａは、第１のフレーム３１１が通って挟持定位されるＣの字状に形成されたクランプブラケットとして形成される。第３のフレーム３１３の両端部３１３ｂ、３１３ｃはそれぞれ、対応するステム部３１４ｂの突き出た自由端部に連結されている。
【００３９】
なお、継ぎ部材３１４及び貫通する第１のフレーム３１１には互いに対応する連結孔（図示せず）が設けられてもよく、ねじなどにより留められることで、連結定位されることができる。
【００４０】
この例では、第３のフレーム３１３及び継ぎ部材３１４のステム部３１４ｂの間に更に弾性連結部材３１５が設けられている。弾性連結部材３１５はアーチ状に湾曲されており、その一端部３１５ａが第３のフレーム３１３の対応する端部３１３ｂ又は３１３ｃ内に挿着され、他端部３１５ｂがステム部３１４ｂの外側に突き出るように配置される。
【００４１】
第３のフレーム３１３の両端部３１３ｂ、３１３ｃ及びステム部３１４ｂに係止孔３１３ａ、３１４ｃが設けられている。これにより、第３のフレーム３１３の両端部３１３ｂ、３１３ｃのそれぞれと対応する継ぎ部材３１４のステム部３１４ｂとが互いに重なり連結されたとき、弾性連結部材３１５の一端部３１５ａが第３のフレーム３１３の対応する端部３１３ｂ、３１３ｃ内に挿着され、他端部３１５ｂが第３のフレーム３１３の係止孔３１３ａ及び継ぎ部材３１４の係止孔３１４ｃを通って外部に出るよう突き出ることによって、第３のフレーム３１３が弾性的に第１のフレーム３１１に一体に連結される。また、弾性連結部材３１５の他端部３１５ｂが係止孔３１３ａ、３１４ｃに係止されることによって、第３のフレーム３１３と継ぎ部材３１４との連結がより一層に強固になる。また、弾性連結部材３１５の他端部３１５ｂを押圧して係止孔３１３ａ、３１４ｃから離脱させると第３のフレーム３１３と継ぎ部材３１５との連結を解除することができる。
【００４２】
図示しないが、弾性連結部材３１５は第１のフレーム３１１と第２のフレーム３１２との間に設けられてもよい。第１のフレーム３１１の両端部３１１ｂ、３１１ｃ及び第２のフレーム３１２の両端部３１２ｂ、３１２ｃに係止孔３１１ａ、３１２ａが設けられている。このように弾性連結部材３１５の設置によっても、第１のフレーム３１１及び第２のフレーム３１２の間の連結はより一層強固になることができる。
【００４３】
この例では、継ぎ部材３１４のステム部３１４ｂの一部が拡径してステム部３１４ｂにおける第３のフレーム３１３が装着される開口３１４ｅ側から係止孔３１４ｃ側に延伸される案内溝３１４ｄが形成されている。このように、弾性連結部材３１５の第３のフレーム３１３の係止孔３１３ａより突き出た他端部３１５ｂが案内溝３１４ｄによってステム部３１４ｂの係止孔３１４ｃ側に移動案内されて係止孔３１４ｃの外部に出るよう突き出て係止されることができる。
【００４４】
案内溝３１４ｄは、ステム部３１４ｂの開口側からステム部３１４ｂの係止孔３１４ｃ側に細るように傾斜状に形成されることが好ましい。
【００４５】
また、マットレス３は更にフレーム３１１，３１２が着脱可能にマットレス本体３２に設置されるための固定ユニットを有する。固定ユニットは、この例では、マットレス本体３２の下面部３２ｂに設置されて第２フレーム３１２又は第３のフレーム３１３と平行に長く延伸されて形成されている複数のシート状部材３２１を有し、シート状部材３２１の上面部とマットレス本体３２の下面部３２ｂとによりフレーム３１２、３１３が挿通して定位される挿し孔３２０が形成されている。
【００４６】
なお、固定ユニットは、図７に示されているように短冊形に形成されたシート状部材３２２を用いてもよい。短冊形状に形成されたシート状部材３２２によって第１〜第３のフレーム３１１〜３１３がマットレス本体３２の下面部３２ｂに着脱可能に一体に連結されることができる。また、第１〜第３のフレーム３１１〜３１３がマットレス本体３２の下面部３２ｂに着脱可能に一体に連結されさえすれば、固定ユニットの使用個数や形状は上記実施例に限定されないことは言うまでもない。なお、シート状部材３２１、３２２は、面ファスナー部材を介して設けてもよく、マットレス本体３２と一体に縫い合わせて設置されてもよく、またマットレス本体３２をつくるときに一体成形により設置しても良い。
【００４７】
また、マットレス３にその平面性を保つ剛性を付与するために、マットレス本体３２の内部に更に補助支持板３３（図４）を挿入して設置してもよい。
【００４８】
上記構成要素によって構成された本発明のマットレス３は、複数のフレームが互いに連結されてマットレス本体３２の下面部３２ｂに設置されていることによって、マットレス本体３２に対して平面性を保つ剛性を付与することができる。また使用しないときには、フレームの連結を解除してコンパクトに収納することができる。
【００４９】
（実施例２）
図７〜図１１には本発明に係るマットレスの他の実施例を示す。この実施例は、上記実施例の構成を備えているが、上記実施例と違うのは、第３のフレーム３１３は、その中央部が湾曲状に形成されていることにある。
【００５０】
図１２は、本例に係るマットレス３を折畳式のベビーベッドに使用する一実施例を示す。折畳式のベビーベッドは、図１、図２を参照するに、マットレス本体３２の下方にある下枠１１には、囲い枠１をコンパクトに折り畳めるように操作可能な折畳操作手段１１１が設けられている。マットレス３を下げて囲い枠１内に設けようとするとき、第３のフレーム３１３が湾曲状に形成されているので、折畳操作手段１１１から離れて設けられることができるため、マットレス本体３２の平面性を保つことができる。
【００５１】
（実施例３）
図１３〜図１７には本発明に係るマットレスの他の実施例を示す。
【００５２】
この実施例では、上記実施例の構成を備えている他、第１のフレーム３１１と第２のフレーム３１２との間に弾性連結部材３１５が設けられ、また、第１のフレーム３１１には、押し部材３１６が設けられている。押し部材３１６の一端部３１６ａが第１のフレーム３１１に固定され、他端部３１６ｂが第１のフレーム３１１より外部に突き出た弾性連結部材３１５の他端部３１５ｂに対応して設けられており、弾性連結部材の他端部３１５ｂを第１のフレーム３１１の内側に押さえ係止孔３１１ａ、３１２ａから離脱させることができる。
【００５３】
また、本実施例では、上記の実施例と違って第３のフレーム３１３と継ぎ部材３１４との間に弾性連結部材３１５を設けないので、ステム部３１４ｂはシンプルなストレートパイプ状に形成されることができる。また、ストレートパイプ状のステム部３１４ｂは、第３のフレーム３１３の端部３１３ｂ（３１３ｃ）に対応して、第３のフレーム３１３に挿入されて係合されるように径小に形成されている。
【００５４】
なお、この例では、ステム部３１４ｂが第３のフレーム３１３に挿入係合されるように径小に形成されているが、第３のフレーム３１３の両端部３１３ｂ、３１３ｃがステム部３１４ｂ内に挿入係合されるように径小に形成されてもよい。
【００５５】
なお、第３のフレーム３１３と継ぎ部材３１４との間に弾性連結部材３１５が設けられず、ステム部３１４ｂがシンプルなストレートパイプ状構成に形成されているが、上記実施例と同様に第３のフレーム３１３と継ぎ部材３１４との間に弾性連結部材３１５を設けても良いことは言うまでもない。
【００５６】
以上のように剛性付与手段３１は、互いに一体に連結可能な複数のフレーム３１１〜３１３を有するので、マットレス本体３２を支持してその平面性を保つ剛性を付与することができ、赤ちゃんが使用する安全性を高めることができる。また複数のフレーム３１１〜３１３を容易く連結したり取り付けることができ、その一方、素早く分離したり収納することもできる。また、使用しないときには、剛性付与手段３１をマットレス本体３２から容易く分離してコンパクトに収納することができる。
【００５７】
上述のごとく、図面を参照してこの発明のいくつかの実施例を説明したが、本発明は、図示した実施例に限定されるものではない。本発明と同一の範囲内において、または均等の範囲内において、図示した実施形態に対して種々の変更を加えることが可能である。
【産業上の利用可能性】
【００５８】
本発明に係るマットレスは、ベビーベッドに用いられるマットレスに有用である。
【符号の説明】
【００５９】
１  囲い枠
１１  下枠
１１１  折畳操作手段
３  マットレス
３１  剛性付与手段
３１１  第１のフレーム
３１１ｂ、３１１ｃ  端部
３１２  第２のフレーム
３１２ｂ、３１２ｃ  端部
３１１ａ、３１２ａ  係止孔
３１３  第３のフレーム
３１３ａ  係止孔
３１３ｂ、３１３ｃ  端部
３１４  継ぎ部材
３１４ａ  ベース部
３１４ｂ  ステム部
３１４ｃ  係止孔
３１４ｄ  案内溝
３１５  弾性連結部材
３１５ａ、３１５ｂ  端部
３１５ｅ  開口
３１６  押し部材
３１６ａ、３１６ｂ  端部
３２  マットレス本体
３２０  挿し孔
３２１、３２２  シート状部材
３２ａ  上面部
３２ｂ  下面部
３３  補助支持板
【図１】
0006022235.tif 000002
【図２】
0006022235.tif 000003
【図３】
0006022235.tif 000004
【図４】
0006022235.tif 000005
【図５】
0006022235.tif 000006
【図６】
0006022235.tif 000007
【図７】
0006022235.tif 000008
【図８】
0006022235.tif 000009
【図９】
0006022235.tif 000010
【図１０】
0006022235.tif 000011
【図１１】
0006022235.tif 000012
【図１２】
0006022235.tif 000013
【図１３】
0006022235.tif 000014
【図１４】
0006022235.tif 000015
【図１５】
0006022235.tif 000016
【図１６】
0006022235.tif 000017
【図１７】
0006022235.tif 000018